(57)【要約】【課題】左右一対の支柱間に落とし込んで組み付けられるサッシの縦枠を、支柱の開口溝に上下方向スライド移動自在に支持されるスライド部を有した第一縦枠部材と、パネル体の左右縦縁部が嵌合されるパネル嵌合溝を有した第二縦枠部材とを組み付けて構成するにあたり、支柱の開口溝から左右外方に突出する部分の縦枠の見付け寸法を小さくする。【解決手段】第一縦枠部材１０のスライド部９を、支柱１の開口溝１ｄに嵌入して上下スライド移動自在に支持される前後一対のスライド面部９ａと、これらスライド面部９ａ同士を支柱１の開口溝１ｄ内で連結する連結部９ｂとを備えて構成する一方、第二縦枠部材１２のパネル嵌合溝１１は、溝底部１１ａが支柱１の開口溝１ｄ内に入り込んで連結部９ｂに止着されるように構成した。【選択図】図２
2020051196.tif 000002
【特許請求の範囲】
【請求項１】
相対向する開口溝を有した左右一対の支柱間に落とし込んで組み付けられるサッシであって、該サッシは、前記一対の支柱開口溝に支持される左右の縦枠と、これら左右の縦枠間に組み込まれるパネル体とを備え、前記縦枠は、支柱の開口溝に嵌入して上下方向スライド移動自在に支持されるスライド部を有した第一縦枠部材と、パネル体の左右縦縁部が嵌合されるパネル嵌合溝を有した第二縦枠部材とを組み付けて構成されるとともに、前記第一縦枠部材のスライド部は、支柱の見付け方向を向き、支柱開口溝に嵌入して上下スライド移動自在に支持される前後一対のスライド面部と、これら前後一対のスライド面部同士を支柱開口溝内で連結する連結部とを備える一方、第二縦枠部材のパネル嵌合溝は、溝底部が支柱開口溝内に入り込んで連結部に止着されることを特徴とするサッシ。
【請求項２】
請求項１において、第一、第二縦枠部材同士は、支柱の開口溝外で係合する係合部を有し、該係合部にシール材を配したことを特徴とするサッシ。
【請求項３】
請求項１または２において、縦枠の前後の見付け面部は、支柱の前後の見込み面部と面一状になっていることを特徴とするサッシ。
【発明の詳細な説明】
【技術分野】
【０００１】
本発明は、左右一対の支柱間に落とし込んで組み付けられるサッシに関するものである。
【背景技術】
【０００２】
一般に、組立ハウスや店舗等に用いられるサッシのなかには、相対向する開口溝を有した左右一対の支柱間に落とし込んで組み付けられるサッシがある。このようなサッシにおいて、サッシ枠内にガラス板や樹脂板等のパネル体を嵌め殺し状に組み込んでＦＩＸ部とする場合に、サッシの左右の縦枠を、支柱の開口溝に嵌入して上下方向スライド移動自在に支持されるスライド部を有する第一の縦枠部材と、パネル体の左右縦縁部が嵌合するパネル嵌合溝を有した第二の縦枠部材とを用いて構成したものが知られている（例えば、特許文献１の図６参照）。
【先行技術文献】
【特許文献】
【０００３】
【特許文献１】登録実用新案第３０３１６７３号公報
【発明の概要】
【発明が解決しようとする課題】
【０００４】
しかしながら、前記特許文献１のものでは、スライド部が支柱の開口溝に支持されている状態で、パネル嵌合溝の溝底部が、支柱の左右外方側に位置するように設けられている。このため、パネル嵌合溝全体が支柱の左右外方側に位置することになって、支柱の開口溝から左右外方に突出する部分の縦枠の見付け寸法が大きくなり、その分パネル体の実質的な左右幅（縦枠で覆蓋される部分を除いたパネル体の左右幅）が短くなって、パネル体としての有効面積が減少してしまうという問題がある。例えば、パネル体として透光性のあるガラス板が用いられている場合、ガラス板の左右幅が短くなった分だけ透光面積が狭くなって、その分採光性が損なわれることになる。
さらに特許文献１のものでは、スライド部が形成される第一の縦枠部材（特許文献１におけるアタッチメント１）と、パネル嵌合溝が形成される第二の縦枠部材（特許文献１におけるサッシユニット３の縦枠材）とを取付ねじを用いて固定する構成になっているが、この場合に、第一、第二縦枠部材の見付け面部同士（特許文献１におけるアタッチメント１のフランジ部１ｄとサッシユニット３の側縁３ａ）を支柱の開口溝外で重ね合わせ、該重ね合わせた部分を見付け面部の前後外方側から螺入される取付ねじ５で止着するようになっているから、取付ねじが外部から視認されることになって意匠性に劣るという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、相対向する開口溝を有した左右一対の支柱間に落とし込んで組み付けられるサッシであって、該サッシは、前記一対の支柱開口溝に支持される左右の縦枠と、これら左右の縦枠間に組み込まれるパネル体とを備え、前記縦枠は、支柱の開口溝に嵌入して上下方向スライド移動自在に支持されるスライド部を有した第一縦枠部材と、パネル体の左右縦縁部が嵌合されるパネル嵌合溝を有した第二縦枠部材とを組み付けて構成されるとともに、前記第一縦枠部材のスライド部は、支柱の見付け方向を向き、支柱開口溝に嵌入して上下スライド移動自在に支持される前後一対のスライド面部と、これら前後一対のスライド面部同士を支柱開口溝内で連結する連結部とを備える一方、第二縦枠部材のパネル嵌合溝は、溝底部が支柱開口溝内に入り込んで連結部に止着されることを特徴とするサッシである。
請求項２の発明は、請求項１において、第一、第二縦枠部材同士は、支柱の開口溝外で係合する係合部を有し、該係合部にシール材を配したことを特徴とするサッシである。
請求項３の発明は、請求項１または２において、縦枠の前後の見付け面部は、支柱の前後の見込み面部と面一状になっていることを特徴とするサッシである。
【発明の効果】
【０００６】
請求項１の発明とすることにより、支柱の開口溝から左右外方に突出する部分の縦枠の見付け寸法を小さく設定でき、その分、縦枠に覆蓋されない部分のパネル体の左右幅を広くできる。しかも、パネル嵌合溝の溝底部を連結部に止着するための止着部材は、バネル嵌合溝にパネル体が嵌合された後では外部から視認されることなく、意匠性に優れる。
請求項２の発明とすることにより、支柱の開口溝外における第一、第二縦枠部材の係合部間のシール性を確保することができる。
請求項３の発明とすることにより、支柱と縦枠との見付け面部同士が段差のない連続した状態として視認されることになって、意匠性に優れる。
【図面の簡単な説明】
【０００７】
【図１】サッシの設置状態を示す正面図である。
【図２】図１の一部省略Ｘ−Ｘ断面図である。
【図３】図１の一部省略Ｙ−Ｙ断面図である。
【図４】図１の一部省略Ｖ−Ｖ断面図である。
【図５】図１の一部省略Ｗ−Ｗ断面図である。
【図６】縦枠の分解図である。
【図７】他例を示す要部断面図である。
【０００８】
以下、本発明の実施の形態について、図面に基づいて説明する。図において、１は建物の開口部に基礎部材２を介して立設される支柱であって、該支柱１は、左右に間隔を存する状態で複数配設されている。各支柱１は、本実施の形態では、前後の見付け面部１ａと、これら前後の見付け面部１ａの左右方向中間部同士を連結するウエブ１ｂと、前後の見付け面部１ａの左右外方側端部から前後内方側に延びる前後のリップ片１ｃとを備え、これら前後のリップ片１ｃ間にリップ溝状の開口溝１ｄが形成された左右対称状の溝形鋼であって、左右に隣接する一対の支柱１の開口溝１ｄ同士が相対向する状態となるように配置されている。
【０００９】
一方、３、４は前記左右に隣接する一対の支柱１間に落とし込んで組み付けられるサッシであって、図１において左側に位置するサッシ３は、上枠５、下枠６および左右の縦枠７により形成されるサッシ枠内に、ガラス板や樹脂板等のパネル体８が組み込まれてＦＩＸ部を形成するようになっている。
【００１０】
前記左右の縦枠７は、前記支柱１の開口溝１ｄに嵌入して上下方向スライド移動自在に支持されるスライド部９を有する第一縦枠部材１０と、前記パネル体８の左右縦縁部が嵌合されるパネル嵌合溝１１を有する第二縦枠部材１２とを組み付けて構成されている。
【００１１】
前記第一縦枠部材１０のスライド部９は、該スライド部９が支柱１の開口溝１ｄに支持された状態で、支柱１の見付け方向を向き、支柱１の開口溝１ｄに嵌入して前後のリップ片１ｃの先端部に上下スライド移動自在に支持される前後一対のスライド面部９ａと、これら前後一対のスライド面部９ａ同士を開口溝１ｄ内で連結する連結部９ｂとを備えて構成されている。さらに、第一縦枠部材１０は、スライド部９が支柱１の開口溝１ｄに支持された状態で支柱１の左右外方側において前後のリップ片１ｃに僅かな間隙を存して対向して第一縦枠部材１０の左右方向の移動規制をする前後の見込み面部１０ａと、該見込み面部１０ａの前後外方側端部から見付け方向に延びる前後の見付け面部１０ｂと、該前後の見付け面部１０ｂの先端部から前後内方側に延びる前後の見込み片１０ｃと、前後の見込み面部１０ａの前後方向中間部から見付け方向に突出する前後の突片１０ｄと、見込み片１０ｃの先端部と突片１０ｄの先端部との間に形成される前後の係合孔（本発明の第一縦枠部材の係合部に相当する）１０ｅとを備えている。前記第一縦枠部材１０の前後の見付け面部１０ｂは、第一縦枠部材１０と第二縦枠部材１２とにより縦枠７が形成された状態で、該縦枠７の見付け面部７ａを構成するとともに、縦枠７のスライド部９が支柱開口溝１ｄに支持された状態で、支柱１の前後の見付け面部１ａと面一状となるように設計されている。
【００１２】
一方、第二縦枠部材１２は、パネル体８の左右縦縁部が嵌合するパネル嵌合溝１１と、該パネル嵌合溝１１の溝開口側縁部から見込み方向に延びる前後の見込み面部１２ａと、これら前後の見込み面部１２ａの先端部（前後外方側端部）に形成され、前記第一縦枠部材１０の前後の係合孔１０ｅにそれぞれ係合する前後の係合フック部（本発明の第二縦枠部材の係合部に相当する）１２ｂとを備えて構成されている。
【００１３】
そして、前記第一縦枠部材１０と第二縦枠部材１２とを固定する場合には、第二縦枠部材１２のパネル嵌合溝１１を溝底部１１ａ側から第一縦枠部材１０の前後のスライド面部９ａ間に嵌入して溝底部１１ａを連結部９ｂに当接させる。この状態で、第一縦枠部材１０の前後の見込み片１０ｃと第二縦枠部材１２の前後の見込み面部１２ａとは面一状になるとともに、第一縦枠部材１０の係合孔１０ｅに第二縦枠部材１２の係合フック部１２ｂが係合するようになっている。そして、前記当接させたパネル嵌合溝１１の溝底部１１ａと連結部９ｂとを、溝底部１１ａ側から連結部９ｂに螺入される螺子１３で止着することで、第一縦枠部材１０と第二縦枠部材１２とは固定された状態で組み付けられて縦枠７を形成するようになっている。さらに、前記係合孔１０ｅと係合フック部１２ｂとの係合部にはシール材１４が配されており、これにより第一、第二縦枠部材１０、１２の係合部間のシール性が確保されている。
【００１４】
また、前記サッシ３の上枠５は、パネル体８の上縁部が嵌合されるパネル嵌合溝５ａと、該パネル嵌合溝５ａの溝開口側縁部から見込み方向に延びる前後の見込み面部５ｂとを有しており、前記左右の第二縦枠部材１２の上端部間に、第二縦枠部材１２の見込み面部１２ａ側から螺入されて上枠５に形成のビスポケット５ｃに螺入される螺子１５を介して組み付けられるようになっている。また、サッシ３の下枠６は、下枠本体部６ａと押縁部材６ｂを用いて構成されており、これら下枠本体部６ａと押縁部材６ｂとによってパネル体８の下縁部が嵌合するパネル嵌合溝６ｃが形成されているとともに、左右の第二縦枠部材１２の下端部間に、第二縦枠部材１２の見込み面部１２ａ側から螺入されて下枠６（下枠本体部６ａ）に形成のビスポケット６ｄに螺入される螺子１５を介して組み付けられるようになっている。そして、これら上枠５および下枠６（下枠本体部６ａ）は、前述した第一縦枠部材１０と第二縦枠部材１２とが固定される前の段階で、左右の第二縦枠部材１２に前記螺子１５を介して組み付けられる。つまり、左右の第二縦枠部材１２に上枠５および下枠６を組み付けて枠組み形成した状態で、左右の第二縦枠部材１２に第一縦枠部材１０を固定して縦枠７を形成し、このようにして上枠５、下枠６、左右の縦枠７からなるサッシ枠が形成されるようになっている。
【００１５】
そして、前述したようにして形成されたサッシ枠は、左右に隣接する支柱１間に落とし込んで組み付けられるが、この場合に、相対向する支柱１の開口溝１ｄに上方から左右の縦枠７のスライド部９を嵌入し、そのまま下方にスライド移動させて、予め左右の支柱１の下端部間に配設されたベースパネル１６上に載置する。この状態で、スライド部９の前後のスライド面部９ａは、支柱１の開口溝１ｄに嵌入して前後のリップ片１ｃの先端部に上下方向スライド移動自在に支持されるとともに、これら前後のスライド面部９ａ同士を連結する連結部９ｂは、開口溝１ｄ内に位置している。そしてこの開口溝１ｄ内に位置している連結部９ｂには、パネル嵌合溝１１の溝底部１１ａが止着されており、これにより、パネル嵌合溝１１の溝底部１１ａは支柱１の開口溝１ｄ内に入り込む状態となっている。そして、このようにパネル嵌合溝１１の溝底部１１ａを支柱１の開口溝１ｄ内に入り込ませることで、支柱１から左右外方側に突出する部分の縦枠７の見付け寸法Ｌを小さく設定できるようになっている。
【００１６】
ここで、パネル体８は、前述したようにしてサッシ枠が形成された後、支柱１間に落とし込まれる前（あるいは支柱１間に落とし込まれた後）に、上枠５、下枠本体部６ａおよび第二縦枠部材１２に形成のパネル嵌合溝５ａ、６ｃ、１１に図示しないビードやシーリング材等を介して嵌合支持されるが、この場合に、第二縦枠部材１０を第一縦枠部材１０に固定するための螺子１３は、前述したようにパネル嵌合溝１１の溝底部１１ａ側から螺入される構成になっているから、パネル体８がパネル嵌合溝１１に嵌合された状態では該パネル体８（およびパネル体８を支持するためのビードやシーリング材等）によって覆われた状態となって外部から視認されないようになっている。尚、下枠６の押縁部材６ｂは、パネル体８がパネル嵌合溝５ａ、６ｃ、１１に嵌合されてから下枠本体部６ａに組み付けられる。
【００１７】
一方、図１において右側に位置するサッシ４は、上枠５、下枠６、左右の縦枠７、および中間枠２０によって上下に区画されたサッシ枠が形成されており、上側のサッシ枠内には後述するように排煙窓２１が組み込まれ、また、下側のサッシ枠内には、前述した左側のサッシ３と同様にパネル体８が組み込まれてＦＩＸ部を形成するようになっている。
【００１８】
前記右側のサッシ４の上枠５は、前述した左側のサッシ３の上枠５と同形状のものが用いられていて、パネル嵌合溝５ａや、該パネル嵌合溝５ａの溝開口側縁部から見込み方向に延びる前後の見込み面部５ｂ等を有しているが、右側のサッシ４の上枠５のパネル嵌合溝５ａは、溝開口側が上枠５の見込み面部５ｂと面一状となる蓋体２２によって覆蓋されている。
【００１９】
また、右側のサッシ４の左右の縦枠７は、前述した左側のサッシ３の左右の縦枠７と同様に、支柱１の開口溝１ｄに嵌入して上下方向スライド移動自在に支持されるスライド部９を有する第一縦枠部材１０と、パネル嵌合溝１１を有する第二縦枠部材１２とを組み付けて構成されているが、これら第一、第二縦枠部材１０、１２は左側のサッシ３の第一、第二縦枠部材１０、１２と同形状のものが用いられているとともに、スライド部９を支柱１の開口溝１ｄに支持せしめた状態で、パネル嵌合溝１１の溝底部１１ａが支柱１の開口溝１ｄ内に入り込んでスライド部９の連結部９ｂに螺子１３を介して止着されている。そして、下側のサッシ枠を構成する部分のパネル嵌合溝１１にはパネル体８が組み込まれる一方、上側のサッシ枠を構成する部分のパネル嵌合溝１１は、溝開口側が第二縦枠部材１２の見込み面部１２ａと面一状となる蓋体２３によって覆蓋されている。
【００２０】
また、右側のサッシ４の中間枠２０は、下側のサッシ枠内に組み付けられるバネル体８の上縁部が嵌合されるパネル嵌合溝２０ａと、上側のサッシ枠内に組み付けられる排煙窓２１が丁番２４を介して開閉揺動自在に支持される排煙窓支持部２０ｂとを備えて構成されている。尚、右側のサッシ４の下枠６は、左側のサッシ３の下枠６と同様のものであるため説明を省略する。
【００２１】
一方、前記排煙窓２１は、換気等のために開閉自在に設けられるものであって、本実施の形態では、窓枠２５内にガラス板等のパネル体２６を組み込んで形成されている。そして該排煙窓２１は、前述したように、右側のサッシ４において上枠５、左右の縦枠７、中間枠２０によって区画される上側のサッシ枠内に組み込まれるとともに、中間枠２０の排煙窓支持部２０ｂに丁番２４を介して開閉自在に支持されるが、このように上側のサッシ枠内に排煙窓２１が組み込まれるとともに、下側のサッシ枠内にパネル体８が組み込まれる場合においても、これら上側および下側のサッシ枠に亘って、支柱１の開口溝１ｄに嵌入して上下方向スライド移動自在に支持されるスライド部９を有する第一縦枠部材１０と、パネル嵌合溝１１を有する第二縦枠部材１２とを組み付けて構成される縦枠７を用いることができて、部材の兼用化、意匠の統一化が図れる。そして、このように排煙窓２１が組み込まれるサッシ枠の縦枠として、パネル体８が組み込まれるサッシ枠と同様にパネル嵌合溝１１を有する縦枠７を用いても、該パネル嵌合溝１１の溝底部１１ａは支柱１の開口溝１ｄ内に入り込む状態となっていて、支柱１の左右外方に突出する部分の縦枠の見付け寸法Ｌを小さく設定できるため、その分排煙窓２１の左右幅を大きく設計できる。尚、本実施の形態では上側のサッシ枠内に排煙窓が組み付けられている場合を例示したが、下側のサッシ枠や、上下中間位置に設けられるサッシ枠に排煙窓が設けられている場合、あるいは排煙窓に限らず、サッシ枠内に引違い式の開閉窓等が組み付けられる場合であっても、同様に、本発明の左右の縦枠を用いることができる。
【００２２】
叙述の如く構成された本発明の実施の形態において、サッシ３、４は、相対向する開口溝１ｄを有した左右一対の支柱１間に落とし込んで組み付けられるものであって、一対の支柱１の開口溝１ｄに支持される左右の縦枠７と、これら左右の縦枠７間に組み込まれるパネル体８とを備えて構成されるとともに、前記左右の縦枠７は、支柱１の開口溝１ｄに嵌入して上下方向スライド移動自在に支持されるスライド部９を有した第一縦枠部材１０と、パネル体８の左右縦縁部が嵌合されるパネル嵌合溝１１を有した第二縦枠部材１２とを組み付けて構成されている。このものにおいて、前記第一縦枠部材１０のスライド部９は、該スライド部９を支柱１の開口溝１ｄに支持せしめた状態で、支柱１の見付け方向を向き、支柱１の開口溝１ｄに嵌入して上下スライド移動自在に支持される前後一対のスライド面部９ａと、これら前後一対のスライド面部９ａ同士を支柱１の開口溝１ｄ内で連結する連結部９ｂとを備える一方、第二縦枠部材１２のパネル嵌合溝１１は、溝底部１１ａが支柱１の開口溝１ｄ内に入り込んで連結部９ｂに止着されていることになる。
【００２３】
而して、左右一対の支柱１間に落とし込んで組み付けられるサッシ３、４の左右の縦枠７は、支柱１の開口溝１ｄに嵌入して上下方向スライド移動自在に支持されるスライド部９と、パネル体８の左右縦縁部が嵌合されるパネル嵌合溝１１とを備えて構成されるが、該パネル嵌合溝１１は、溝底部１１ａが支柱１の開口溝１ｄ内に入り込んだ状態で設けられることになる。この結果、支柱１の開口溝１ｄから左右外方に突出する部分の縦枠７の見付け寸法Ｌを小さく設定でき、その分、縦枠７に覆蓋されない部分のパネル体８の左右幅を大きく採ることができることになって、パネル体としての有効面積を広く使えることになる。例えば、パネル体８として透光性のあるガラス板を用いた場合、該ガラス板の左右幅を広くできることで、サッシの採光性向上に貢献できることになる。
【００２４】
しかも、前記パネル嵌合溝１１の溝底部１１ａがスライド部９の連結部９ｂに止着されることで、スライド部９が設けられる第一縦枠部材１０とパネル嵌合溝１１が設けられる第二縦枠部材１２とが組み付けられることになるが、パネル嵌合溝１１の溝底部１１ａを止着するための止着部材（本実施の形態では螺子１３）は、パネル嵌合溝１１にパネル体８の左右縦縁部が嵌合された後では該パネル体８によって覆われた状態となって外部から視認されることがないから、意匠性にも優れることになる。さらに、パネル嵌合溝１１の溝底部１１ａが止着されることで、スライド面部９ａ同士を連結する連結部９ｂの強度アップも図れる。
【００２５】
さらにこのものにおいて、第一、第二縦枠部材１０、１２同士は、支柱１の開口溝１ｄ外で係合する係合部（本実施の形態では、第一縦枠部材１０の係合孔１０ｅおよび第二縦枠部材１２の係合部１２ｂ）を有しているが、該係合部間にはシール材１４が配されており、これにより、支柱１の開口溝１ｄ外における第一、第二縦枠部材１０、１２の係合部間のシール性を確保することができる。
【００２６】
また、前記縦枠７の前後の見付け面部７ａ（本実施の形態では、第一縦枠部材１０の見付け面部１０ｂ）は、支柱１の前後の見込み面部１ａと面一状になっているから、支柱１と縦枠７との見付け面部１ａ、７ａ同士が段差のない連続した状態で視認されることになって、意匠性に優れる。
【００２７】
次に、図７に基づいて、他例を説明する。該他例のサッシ３０は、前述した実施の形態のサッシ３、４と同様に、相対向する開口溝１ｄを有した左右一対の支柱１間に落とし込んで組み付けられるものであって、一対の支柱１の開口溝１ｄに支持される左右の縦枠３１と、これら左右の縦枠３１間に組み込まれるパネル体８とを備えて構成されているとともに、左右の縦枠３１は、支柱１の開口溝１ｄに嵌入して上下方向スライド移動自在に支持されるスライド部３１ａと、パネル体８の左右縦縁部が嵌合されるパネル嵌合溝３１ｂとを備えているが、他例の左右の縦枠３１は、前記実施の形態のようにスライド部９を有する第一縦枠部材１０とパネル嵌合溝１１を有する第二縦枠部材１２とを組み付けて形成されるものではなく、スライド部３１ａとパネル嵌合溝３１ｂとが一体形成された一部材で形成されている。そしてこのようにスライド部３１ａとパネル嵌合溝３１ｂとが一体形成された他例においても、スライド部３１ａが支柱１の開口溝１ｄに支持された状態で、パネル嵌合溝３１ｂは、溝底部３１ｄが支柱１の開口溝１ｄ内に入り込む構成となっている。尚、他例の説明および図７において、縦枠３１以外については前記実施の形態と同様であるため、同一の符号を付すとともに説明を省略する。
【００２８】
前記他例の左右の縦枠３１について詳細に説明すると、該縦枠３１は、パネル体８の左右縦縁部が嵌合するパネル嵌合溝３１ｂと、該パネル嵌合溝３１ｂの開口側縁部から見込み方向に延びる前後の見込み面部３１ｃと、該見込み面部３１ｃの見込み方向中間部から見付け方向に延びる前後のスライド部３１ａとが一体形成されている。そして、該前後のスライド部３１ａは、支柱１の開口溝１ｄに嵌入して前後のリップ片１ｃの先端部に上下スライド移動自在に支持されるように構成されているとともに、該スライド部３１ａが支柱１の開口溝１ｄに支持された状態で、前後の見込み面部３１ｃの見込み方向外側半部は、支柱１の左右外方側において前後のリップ片１ｃに僅かな間隙を存して対向して縦枠３１の左右方向の移動規制をするようになっている。さらに、前後のスライド部３１ａが支柱１の開口溝１ｄに支持された状態で、パネル嵌合溝３１ｂは、溝底部３１ｄが支柱１の開口溝１ｄ内に入り込むように構成されている。尚、この他例においても、前述した実施の形態と同様に、左右の縦枠３１と上枠５および下枠６とは、縦枠３１の見込み面部３１ｃから螺入される螺子１５により組み付けられる。
【００２９】
この様に、他例の縦枠３１は、スライド部３１ａとパネル嵌合溝３１ｂとが一体形成されたものであるが、このものにおいても、パネル嵌合溝３１ｂは、溝底部３１ｄが支柱１の開口溝１ｄ内に入り込むように構成されているから、前述した実施の形態と同様に、支柱１の開口溝１ｄから左右外方に突出する部分の縦枠３１の見付け寸法Ｌを小さく設定でき、その分、縦枠３１に覆蓋されない部分のパネル体８の左右幅を大きく採ることができるという作用効果を奏することになる。
【産業上の利用可能性】
【００３０】
本発明は、左右一対の支柱間に落とし込んで組み付けられるサッシの縦枠に利用することができる。
【符号の説明】
【００３１】
１  支柱
１ａ見付け面部
１ｄ  開口溝
３    サッシ
４    サッシ
７    左右の縦枠
７ａ  見付け面部
８  パネル体
９  スライド部
９ａ  スライド面部
９ｂ  連結部
１０  第一縦枠部材
１０ｂ  見付け面部
１０ｅ  係合孔
１１  パネル嵌合溝
１１ａ  溝底部
１２  第二縦枠部材
１２ｂ  係合部
１３  螺子
１４  シール材
【図１】
2020051196.tif 000003
【図２】
2020051196.tif 000004
【図３】
2020051196.tif 000005
【図４】
2020051196.tif 000006
【図５】
2020051196.tif 000007
【図６】
2020051196.tif 000008
【図７】
2020051196.tif 000009